(57)【要約】【課題】移動鏡の円滑な移動を実現できるフーリエ変換型分光光度計を提供する。【解決手段】赤外分光光度計において、可動部５１と保持部５２との間には、複数の転動体が設けられている。ばね４０から外力が付与されていない状態では、可動部５１、保持部５２及び各転動体の間には、遊び空間が生じている。そして、赤外分光光度計１において、移動鏡１０及び可動部５１をスライドさせる際には、可動部５１に対してばね４０により下方側に向かう外力が加えられ、各転動体が可動部５１と保持部５２との間で移動することが阻止される。そのため、移動鏡１０及び可動部５１をスライドさせる際において、可動部５１、保持部５２及び各転動体の間に微細な隙間を残しながら、可動部５１と保持部５２とががたつくことを抑制できる。その結果、移動鏡１０及び可動部５１の移動速度を容易に制御することが可能となり、かつ、移動鏡１０及び可動部５１のがたつきを抑制できる。【選択図】  図６
2019095349.tif 000002
【特許請求の範囲】
【請求項１】
移動鏡が取り付けられた可動部と、
前記可動部をスライド可能に保持する保持部と、
外力が加わっていない状態で前記可動部及び前記保持部に対して遊び空間を有するように、前記可動部と前記保持部との間に設けられ、前記保持部に対して前記可動部がスライドする際に転動する転動体と、
前記可動部及び前記保持部の少なくとも一方に、前記可動部のスライド方向に対して交差する方向に外力を加えることにより、前記可動部と前記保持部との間で前記転動体が移動するのを阻止する外力付与部とを備えることを特徴とするフーリエ変換型分光光度計。
【請求項２】
前記可動部は、待機位置から前記スライド方向に沿ってスライド可能であり、
前記外力付与部は、前記可動部に対して、前記待機位置側に向かって外力を加えることを特徴とする請求項１に記載のフーリエ変換型分光光度計。
【請求項３】
前記外力付与部により外力が加えられる前記可動部を、前記待機位置において停止させるストッパをさらに備えることを特徴とする請求項２に記載のフーリエ変換型分光光度計。
【発明の詳細な説明】
【技術分野】
【０００１】
本発明は、スライド可能な移動鏡を備えるフーリエ変換型分光光度計に関するものである。
【背景技術】
【０００２】
フーリエ変換型赤外分光光度計（ＦＴＩＲ）では、試料室内の試料に対して赤外光が照射され、試料からの透過光又は反射光が検出器で検出される。そして、その検出信号に基づいて演算を行うことによりスペクトルを得ることができる。試料室内の試料に照射する赤外光は、移動鏡、固定鏡及びビームスプリッタからなるマイケルソン干渉計を用いて干渉光とされた上で、試料室内に出射される（例えば、下記特許文献１参照）。
【０００３】
フーリエ変換型赤外分光光度計において、移動鏡は、例えば、ガイド上にスライド移動可能な状態で設けられている。移動鏡は、ボイスコイルモータ等の駆動源から駆動力が付与されることでスライド移動する。
【０００４】
移動鏡とガイドとは、組み付けの際に、移動鏡とガイドとの係合状態が調整されており、移動鏡とガイドとの係合部分に予圧がかけられている。これにより、移動鏡とガイドとの係合部分で生じる微細な隙間が調整されている。そして、移動鏡をガイドに対して移動させる際には、移動鏡とガイドとの間で抵抗力が生じることとなる。
このようにして生じる抵抗力と、駆動源からの駆動力とを調整することで、移動鏡の移動速度を調整することができる。
【先行技術文献】
【特許文献】
【０００５】
【特許文献１】国際公開第２０１６／１４７２７１号
【発明の概要】
【発明が解決しようとする課題】
【０００６】
しかしながら、上記のような従来のフーリエ変換型赤外分光光度計において、移動鏡の円滑な移動が阻害されるという不具合が生じることがあった。
【０００７】
具体的には、移動鏡とガイドとの係合部分にかけられる予圧が大きすぎる場合には、移動鏡とガイドとの係合状態が強くなりすぎるため、移動鏡とガイドとの間で生じる抵抗力が必要以上に大きくなる。そのため、移動鏡がスライド移動しにくく、移動鏡の移動速度を所定精度以上に制御することが困難になるという不具合が生じる。
【０００８】
一方、移動鏡とガイドとの係合部分にかけられる予圧を小さくすると、移動鏡とガイドとの間で生じる抵抗力が小さくなり、移動鏡を容易にスライド移動させることができる。しかしながら、この場合には、移動鏡とガイドとの係合部分で生じる隙間が大きくなり、移動鏡がガイドに対してがたつくことがある。移動鏡がガイドに対してがたつくと、移動鏡の角度が変わってしまうため、分析に悪影響を及ぼすという不具合が生じる。
【０００９】
本発明は、上記実情に鑑みてなされたものであり、移動鏡の円滑な移動を実現できながら、移動鏡のがたつきを抑制できるフーリエ変換型分光光度計を提供することを目的とする。
【課題を解決するための手段】
【００１０】
（１）本発明に係るフーリエ変換型分光光度計は、可動部と、保持部と、転動体と、外力付与部とを備える。前記可動部には、移動鏡が取り付けられる。前記保持部は、前記可動部をスライド可能に保持する。前記転動体は、外力が加わっていない状態で前記可動部及び前記保持部に対して遊び空間を有するように、前記可動部と前記保持部との間に設けられ、前記保持部に対して前記可動部がスライドする際に転動する。前記外力付与部は、前記可動部及び前記保持部の少なくとも一方に、前記可動部のスライド方向に対して交差する方向に外力を加えることにより、前記可動部と前記保持部との間で前記転動体が移動するのを阻止する。
【００１１】
このような構成によれば、フーリエ変換型分光光度計において、可動部と保持部との間には、転動体が設けられている。また、外力付与部から外力が付与されていない状態では、可動部、保持部及び転動体の間には、遊び空間が生じている。そして、フーリエ変換型分光光度計において、移動鏡をスライドさせる際には、可動部及び保持部の少なくとも一方に、外力付与部によりスライド方向に対して交差する方向に外力が付与されて、転動体が可動部と保持部との間で移動することが阻止される。
【００１２】
そのため、移動鏡をスライドさせる際において、可動部、保持部及び転動体の間に微細な空間を残しながら、可動部と保持部とががたつくことを抑制できる。
その結果、移動鏡の移動速度を容易に制御することが可能となり、かつ、移動鏡のがたつきを抑制できる。
すなわち、フーリエ変換型分光光度計において、移動鏡の円滑な移動を実現できながら、移動鏡のがたつきを抑制できる。
【００１３】
（２）また、前記可動部は、待機位置から前記スライド方向に沿ってスライド可能であってもよい。前記外力付与部は、前記可動部に対して、前記待機位置側に向かって外力を加えてもよい。
【００１４】
このような構成によれば、外力付与部によって、可動部に対して待機位置側に向かう外力を常に付与できる。
そのため、フーリエ変換型分光光度計を搬送する際などに、可動部及び移動鏡を待機位置に留まらせることができる。
その結果、フーリエ変換型分光光度計を搬送する際などに、可動部及び移動鏡が動いて破損などすることを抑制できる。
【００１５】
（３）また、前記フーリエ変換型分光光度計は、ストッパをさらに備えてもよい。前記ストッパは、前記外力付与部により外力が加えられる前記可動部を、前記待機位置において停止させる。
【００１６】
このような構成によれば、可動部及び移動鏡を待機位置に配置した状態を保つことができる。
【発明の効果】
【００１７】
本発明によれば、フーリエ変換型分光光度計において、移動鏡をスライドさせる際には、可動部及び保持部の少なくとも一方に、外力付与部によりスライド方向に対して交差する方向に外力が付与されて、転動体が遊び空間内で移動することが阻止される。そのため、移動鏡をスライドさせる際において、可動部、保持部及び転動体の間に微細な空間を残しながら、可動部と保持部とががたつくことを抑制できる。その結果、移動鏡の移動速度を容易に制御することが可能となり、かつ、移動鏡のがたつきを抑制できる。すなわち、フーリエ変換型分光光度計において、移動鏡の円滑な移動を実現できながら、移動鏡のがつきを抑制できる。
【図面の簡単な説明】
【００１８】
【図１】本発明の一実施形態に係る赤外分光光度計を側面側から見た状態を示した概略的な断面図である。
【図２】図１のＡ−Ａ線に沿う断面図である。
【図３】赤外分光光度計の移動鏡及びその周辺の部材を示した正面図である。
【図４】図３の側面図である。
【図５】図４のＢ−Ｂ線に沿う断面図である。
【図６】赤外分光光度計の干渉計室の詳細な構成を示した斜視図である。
【図７Ａ】赤外分光光度計の干渉計室の詳細な構成を示した側面図であって、移動鏡及び可動部が待機位置に配置されている状態を示している。
【図７Ｂ】赤外分光光度計の干渉計室の詳細な構成を示した側面図であって、図７Ａに示す状態から移動鏡及び可動部がスライド移動した状態を示している。
【図８Ａ】図７Ａに示す赤外分光光度計の断面図である。
【図８Ｂ】図７Ｂに示す赤外分光光度計の断面図である。
【図９】赤外分光光度計のガイド部材を示した断面図であって、移動鏡が移動する際におけるガイド部材の構成を示している。
【発明を実施するための形態】
【００１９】
１．赤外分光光度計の全体構成
図１は、本発明の一実施形態に係る赤外分光光度計１を側面側から見た状態を示した概略的な断面図である。図２は、図１のＡ−Ａ線に沿う断面図である。この赤外分光光度計１は、例えば、フーリエ変換赤外分光光度計（ＦＴＩＲ）であり、その外形が直方体形状のハウジング２により区画されている。ハウジング２は、中空状の部材である。ハウジング２内では、サンプルホルダ３が設けられる試料室４と、試料室４に対して一方側（右方側）に形成される干渉計室５と、試料室４に対してた方側（左方側）に形成される検出器室６とが区画されている。試料室４と干渉計室５との間には、区画壁２１が設けられており、試料室４と検出器室６との間には、区画壁２２が設けられている。サンプルホルダ３には、試料Ｓが収容されている。
【００２０】
干渉計室５には、マイケルソン干渉計を構成する光学部品が設けられており、検出器室６には、検出器など（図示せず）の光学部品が設けられている。
具体的には、図１に示すように、干渉計室５には、第１ミラー７と、第２ミラー８と、ビームスプリッタ―９と、移動鏡１０と、駆動機構１１と、固定鏡１２とが設けられている。
【００２１】
第１ミラー７は、区画壁２１において後方側に形成された第１開口２１Ａの近傍に設けられている。
第２ミラー８は、区画壁２１において前方側に形成された第２開口２１Ｂの近傍に設けられている。
【００２２】
ビームスプリッタ―９は、第１ミラー７及び第２ミラー８のそれぞれと間隔を隔てて配置されている。ビームスプリッタ―９は、入射する光の一部を反射しつつ、入射する光の残りを透過する。
【００２３】
移動鏡１０は、第１ミラー７の下方に配置されており、かつ、ビームスプリッタ―９と間隔を隔てて配置されている。移動鏡１０は、ビームスプリッタ―９との対向方向に沿ってスライド移動可能に構成されている。なお、移動鏡１０の詳細な構成については、後述する。
【００２４】
駆動機構１１は、例えば、ボイスコイルモータなどからなり、移動鏡１０に対して駆動力を付与するように構成されている。
固定鏡１２は、第２ミラー８の下方に配置されており、かつ、ビームスプリッタ―９と間隔を隔てて配置されている。固定鏡１２は、一定位置に固定されている。
【００２５】
赤外分光光度計１を用いて試料の分析を行う際には、まず、光源（図示せず）から赤外光が出射される。そして、図１に示すように、赤外光は、第１開口２１Ａから干渉計室５内に導かれ、第１ミラー７で反射して、ビームスプリッタ９に入射する。
【００２６】
ビームスプリッタ９に入射した赤外光は、一部がビームスプリッタ９を透過して固定鏡１２に入射し、残りがビームスプリッタ９で反射されて移動鏡１０に入射する。このとき、移動鏡１０は、駆動機構１１から駆動力が付与されることにより、スライド移動する。
【００２７】
固定鏡１２で反射された赤外光は、ビームスプリッタ―９で反射されて第２ミラー８に向かう。また、移動鏡１０で反射された赤外光は、ビームスプリッタ―９を透過して第２ミラー８に向かう。これにより、固定鏡１２で反射された赤外光、及び、移動鏡１０で反射された赤外光は、合成されて赤外干渉光となり、第２ミラー８で反射される。
【００２８】
第２ミラー８で反射された赤外光（赤外干渉光）は、図２に示すように、第２開口２１Ｂに設けられた窓部材１３を通過し、サンプルホルダ３の試料Ｓに照射される。そして、試料Ｓからの反射光又は透過光がサンプルホルダ３から出射し、区画壁２２に形成される第３開口２２Ａを通過して、検出器室６内の検出器（図示せず）に入射する。検出器は、入射した赤外光に応じたインターフェログラムを、検出信号として出力する。制御部（図示せず）は、検出器から出力されたインターフェログラムをフーリエ変換することにより、スペクトルの強度分布データを得る。そして、そのデータに基づいて、試料Ｓが分析される。
【００２９】
２．移動鏡及びその周辺の部材の詳細構成
図３は、赤外分光光度計１の移動鏡１０及びその周辺の部材を示した正面図である。図４は、図３の側面図である。図５は、図４のＢ−Ｂ線に沿う断面図である。
図３及び図４に示すように、移動鏡１０は、ミラー３１と、支持部３２とを備えている。
【００３０】
ミラー３１は、正面視円形状に形成される平面鏡である。
支持部３２は、ミラー３１と接続されている。支持部３２は、基台部３２１と、胴部３２２とを備えている。
【００３１】
基台部３２１は、支持部３２の下端部を構成しており、長尺な板状に形成されている。
胴部３２２は、直方体状に形成されており、基台部３２１の中央部から上方に向かって延びている。
【００３２】
支持部３２は、駆動機構１１の移動部１１１と接続されている。移動部１１１は、例えば、ボイスコイルモータを構成するコイルであって、支持部３２に対してミラー３１と反対側に配置されている。図４に示すように、移動部１１１は、筒部１１２と、平板部１１３と、当接部１１４を備えている。
筒部１１２は、円筒状に形成されている。
【００３３】
平板部１１３は、板状に形成されており、筒部１１２の一端部に設けられている。平板部１１３は、筒部１１２の一端部側の内部空間を閉塞している。平板部１１３は、支持部３２の胴部３２２に接続されている。
【００３４】
当接部１１４は、平板部１１３の内面に設けられている。当接部１１４は、例えば、ゴムなどの弾性変形可能な材料により構成されている。当接部１１４は、平板部１１３の内面から、筒部１１２の内部空間に向かって膨らむように突出している。当接部１１４が、ストッパの一例である。なお、駆動機構１１の他の構成については、後述する。
【００３５】
図３及び図４に示すように、移動鏡１０の支持部３２には、第１係合部４１が取り付けられている。第１係合部４１は、平面視Ｌ字状に形成されており、支持部３２の胴部３２２の上端部に、ねじなどの固定具によって取り付けられている。具体的には、第１係合部４１は、胴部３２２の上端部の外方側の側面（上端部の右面）に取り付けられており、外方側（右方側）に向かって突出している。
【００３６】
第１係合部４１には、ばね４０の一端部が取り付けられている。ばね４０の他端部は、側面視Ｌ字状に形成される第２係合部４２に取り付けられている。ばね４０は、例えば、引張コイルばねであって、引張状態で用いられる。ばね４０が、外力付与部の一例である。なお、ハウジング２内での第２係合部４２の固定状態については、後述する。
【００３７】
また、移動鏡１０の支持部３２には、ガイド部材５０が取り付けられている。図４及び図５に示すように、ガイド部材５０は、可動部５１と、保持部５２と、複数の転動体５３とを備えている。
【００３８】
可動部５１は、長尺な棒状に形成されており、その断面形状（長手方向と直交する方向の断面形状）が、扁平な矩形状に形成されている。可動部５１の左右両側面には、溝５１ａが形成されている。溝５１ａは、その断面形状が三角形状であって、可動部５１の左右両側面から内方に向かって窪んでいる。溝５１ａは、長手方向において、可動部５１の一端縁から他端縁にわたって直線状に（前後方向において直線状に）形成されている。可動部５１の上面は、支持部３２の基台部３２１の下面に取り付けられている。
【００３９】
保持部５２は、可動部５１の下方にわずかな間隔を隔てて配置されている。保持部５２は、固定板５２１と、１対の保持板５２２とを備えている。
固定板５２１は、長尺かつ扁平な棒状に形成されている。
【００４０】
各保持板５２２は、その断面形状が矩形状であって、固定板５２１の幅方向（長手方向と直交する方向）の両端部から上方に向かって突出している。各保持板５２２の左右方向（幅方向）の内側の側面には、溝５２２ａが形成されている。溝５２２ａは、その断面形状が三角形状であって、各保持板５２２の内側の側面から内方に向かって窪んでいる。各溝５２２ａは、長手方向において、保持板５２２の一端縁から他端縁にわたって直線状に（前後方向において直線状に）形成されている。各保持板５２２は、左右方向（幅方向）において、可動部５１とわずかな間隔を隔てて対向している。
【００４１】
具体的には、可動部５１の溝５１ａと、保持板５２２の溝５２２ａとは、間隔を隔てるように配置されている。なお、ハウジング２内での保持部５２の固定状態については、後述する。
転動体５３は、可動部５１の溝５１ａと、保持板５２２の溝５２２ａとの間の領域に、遊びの空間を有する状態で配置されている。
【００４２】
図５では、ばね４０の付勢力が第１係合部４１に加わっていない状態におけるガイド部材５０の構成を示している。この状態では、溝５１ａにおける可動部５１の端面（傾斜面）と、溝５２２ａにおける保持板５２２の端面（傾斜面）と、各転動体５３との間には、遊び空間Ａ１が存在している。遊び空間Ａ１が存在する状態では、各転動体５３は、可動部５１及び保持部５２に対して、２点で当接している。
【００４３】
具体的には、遊び空間Ａ１が存在する状態では、各転動体５３は、溝５１ａにおける可動部５１の端面（下側の傾斜面）と、溝５２２ａにおける保持板５２２の端面（下側の傾斜面）とに当接している。すなわち、ばね４０の付勢力が第１係合部４１に加わっていない状態では、各転動体５３の上面と、溝５１ａにおける可動部５１の端面（上側の傾斜面）と、溝５２２ａにおける保持板５２２の端面（上側の傾斜面）との間の領域が、遊び空間Ａ１として形成される。
【００４４】
このように、可動部５１、保持部５２及び各転動体５３の間で、適度な空間が形成されることで、可動部５１が保持部５２に対して円滑にスライド移動する。
【００４５】
３．移動鏡及びその周辺の部材のハウジング内における配置
図６は、赤外分光光度計１の干渉計室５の詳細な構成を示した斜視図である。図７Ａは、赤外分光光度計１の干渉計室５の詳細な構成を示した側面図である。図８Ａは、図７Ａに示す赤外分光光度計の断面図である。なお、図６、図７Ａ及び図８Ａでは、ハウジング２の側方部分（一部）のみを示しており、かつ、側端面を取り外した状態を示している。また、図６では、内部の部品を一部省略して示している。
【００４６】
ハウジング２には、干渉計室５を区画するハウジング２の壁面として、傾斜面２３が設けられている。傾斜面２３は、第１開口２１Ａ（図１参照）の下方に配置されている。傾斜面２３は、前方に向かうにつれて上方に向かうように傾斜している。
【００４７】
移動鏡１０は、傾斜面２３上に設けられている。具体的には、干渉計室５内において、傾斜面２３には、ガイド部材５０の保持部５２、及び、第２係合部４２のそれぞれが、ねじなどの固定具により取り付けられている。
【００４８】
この状態において、ガイド部材５０の可動部５１は、傾斜面２３に沿って延びている。ばね４０は、第１係合部４１と第２係合部４２との間で、引張状態で保持されている。
【００４９】
また、駆動機構１１は、ハウジング２内で一定位置に固定される固定部１１５を備えている。固定部１１５は、ハウジング２内（干渉計室５内）において、移動鏡１０の後方に配置されている。固定部１１５は、例えば、ボイスコイルモータを構成する磁石である。移動部１１１は、固定部１１５に覆われている。また、固定部１１５の中央部分は、移動部１１１の内方に収容されている。なお、この例では、駆動機構１１は、コイルが移動する、いわゆるムービングコイル式であるが、磁石が移動する、いわゆるムービングマグネット式であってもよい。
【００５０】
４．移動鏡の動作
図７Ａ及び図８Ａに示す状態では、移動鏡１０及び可動部５１が待機位置に位置している。赤外分光光度計１では、電源スイッチがオフの場合など、待機状態にある場合には、移動鏡１０及び可動部５１は、図７Ａ及び図８Ａに示すように、待機位置に配置される。
【００５１】
この状態において、ばね４０は、引張状態で、第１係合部４１及び第２係合部４２に係合しており、傾斜面２３と直交する平面（傾斜面２３から垂直に延びる平面）に対して、傾斜している。これにより、移動鏡１０の支持部３２（胴部３２２）には、第１係合部４１を介して、傾斜面２３の下方側に向かう方向に、ばね４０の付勢力が付与されている。換言すれば、移動鏡１０の支持部３２（胴部３２２）には、第１係合部４１を介して、常に、待機位置側に向かってばね４０からの外力が加えられている。
また、この状態において、当接部１１４は、固定部１１５の端面に当接している。
【００５２】
これにより、輸送の際などにおいて、赤外分光光度計１がふらつくような場合でも、ばね４０の付勢力によって、移動鏡１０及び可動部５１を待機位置に留まらせることができる。
【００５３】
そして、赤外分光光度計１において、電源スイッチがオンされると、駆動機構１１からの駆動力が移動鏡１０（支持部３２）に付与される。これにより、移動鏡１０が可動部５１とともに、保持部５２に対してスライド移動する。
【００５４】
図７Ｂは、赤外分光光度計１の干渉計室５の詳細な構成を示した側面図であって、図７Ａに示す状態から移動鏡１０及び可動部５１がスライド移動した状態を示している。図８Ｂは、図７Ｂに示す赤外分光光度計１の断面図である。
【００５５】
移動鏡１０及び可動部５１は、駆動機構１１からの駆動力が支持部３２に付与されることにより、図７Ｂ及び図８Ｂに示すように、ばね４０の付勢力に抗して、保持部５２に対してスライド移動し、傾斜面２３に沿って中央側に移動する。このとき、ガイド部材５０において、各転動体５３が転動することで、可動部５１が保持部５２に対して移動する。このようにして、移動鏡１０のミラー３１は、ビームスプリッタ―９に向かって近づく。
【００５６】
また、この状態から、駆動機構１１から支持部３２に付与される駆動力が調整されることにより、移動鏡１０及び可動部５１は、保持部５２に対して逆方向にスライド移動し、傾斜面２３に沿って下方側（待機位置側）に移動する。このとき、移動鏡１０のミラー３１は、ビームスプリッタ―９から遠ざかる。
【００５７】
このように、赤外分光光度計１では、電源スイッチがオンされると、移動鏡１０及び可動部５１が、傾斜面２３に沿って往復するように、スライド移動を繰り返す。
【００５８】
そして、赤外分光光度計１において、電源スイッチがオフされると、図７Ａ及び図８Ａに示すように、移動鏡１０及び可動部５１が待機位置に配置される。このとき、当接部１１４は、固定部１１５の端面に当接し、移動鏡１０及び可動部５１のさらなる移動が規制される（移動鏡１０及び可動部５１が待機位置で停止する）。
【００５９】
５．ガイド部材の詳細な動作
図９は、赤外分光光度計１のガイド部材５０を示した断面図であって、移動鏡１０が移動する際におけるガイド部材５０の構成を示している。
上記したように、移動鏡１０がスライド移動する際において、移動鏡１０の支持部３２には、ばね４０からの付勢力（外力）が付与されている。
【００６０】
図３及び図６に示すように、この付勢力（外力）によって、第１係合部４１に対して下方側に向かう力が加えられる。また、第１係合部４１は、前後方向に見たときに、重心から外れるように、支持部３２の胴部３２２の上端部の外方側の側面（右面）に取り付けられている。そのため、移動鏡１０（支持部３２）に対して、下方側に向かう力が加わる。その結果、図３において矢印Ｃで示すように、移動鏡１０（支持部３２）に対して、正面視時計回りの方向（一方向）に向かう力（回転力）が生じる。
【００６１】
すると、図９に示すように、支持部３２に固定されている可動部５１にも正面視時計回りの方向に向かう力が加わり、可動部５１がわずかに正面視時計回り（一方向）に動く（傾く）。
【００６２】
これにより、各転動体５３は、可動部５１及び保持部５２に対して、３点で当接する。また、ガイド部材５０において、遊び空間Ａ１に代えて、微細な隙間Ａ２が形成される。
具体的には、可動部５１の内方側（左方側）において、各転動体５３は、溝５２２ａにおける保持板５２２の端面（上側及び下側の傾斜面）に２点で当接するとともに、溝５１ａにおける可動部５１の端面（下側の傾斜面）に１点で当接する。このとき、各転動体５３と、溝５１ａにおける可動部５１の端面（上側の傾斜面）との間に、微細な隙間Ａ２が形成される。
【００６３】
また、可動部５１の外方側（右方側）において、各転動体５３は、溝５２２ａにおける保持板５２２の端面（上側及び下側の傾斜面）に２点で当接するとともに、溝５１ａにおける可動部５１の端面（上側の傾斜面）に１点で当接する。このとき、各転動体５３と、溝５１ａにおける可動部５１の端面（下側の傾斜面）との間に、微細な隙間Ａ２が形成される。
【００６４】
このように可動部５１がわずかに正面視時計回りに傾いた状態で、上記したように、移動鏡１０及び可動部５１が、保持部５２に対してスライド移動する。すなわち、各転動体５３と可動部５１との間に微細な隙間Ａ２を形成しながら、可動部５１がわずかに傾いた状態を保つようにして、移動鏡１０及び可動部５１がスライド移動する。これにより、可動部５１と保持部５２との間において、各転動体５３の移動が阻止される。その結果、移動鏡１０及び可動部５１の円滑な移動を実現しながら、移動鏡１０及び可動部５１のがたつき（正面視における周方向のがたつき）を抑制できる。
【００６５】
また、固定鏡１２（図１参照）には、アクチュエータや、調整用のねじが設けられている。そして、これらを調整することで、固定鏡１２の反射面の角度を微調整することが可能である。そのため、移動鏡１０のミラー３１の角度がわずかに変化した場合には、その変化量に対応するように（その変化量を補正するように）、固定鏡１２の反射面を変化させることが可能である。
【００６６】
７．作用効果
（１）本実施形態によれば、赤外分光光度計１において、可動部５１と保持部５２との間には、複数の転動体５３が設けられている。図５に示すように、ばね４０から外力が付与されていない状態では、可動部５１、保持部５２及び各転動体５３の間には、遊び空間Ａ１が生じている。そして、赤外分光光度計１において、移動鏡１０及び可動部５１をスライドさせる際には、可動部５１に対してばね４０により下方側に向かう外力が加えられ、各転動体５３が可動部５１と保持部５２との間で移動することが阻止される。
【００６７】
そのため、移動鏡１０及び可動部５１をスライドさせる際において、可動部５１、保持部５２及び各転動体５３の間に微細な隙間Ａ２を残しながら、可動部５１と保持部５２とががたつくことを抑制できる。
その結果、移動鏡１０及び可動部５１の移動速度を容易に制御することが可能となり、かつ、移動鏡１０及び可動部５１のがたつきを抑制できる。
すなわち、赤外分光光度計１において、移動鏡１０及び可動部５１の円滑な移動を実現できながら、移動鏡１０及び可動部５１のがたつきを抑制できる。
【００６８】
（２）また、本実施形態によれば、図７Ｂに示すように、赤外分光光度計１において、ばね４０は、移動鏡１０及び可動部５１に対して、待機位置側に向かって外力を加えている。
【００６９】
そのため、ばね４０によって、移動鏡１０及び可動部５１に対して、待機位置側に向かう外力を常に付与できる。
その結果、赤外分光光度計１を搬送する際などに、移動鏡１０及び可動部５１を待機位置に留まらせることができる。
よって、赤外分光光度計１を搬送する際などに、移動鏡１０及び可動部５１が動いて破損などすることを抑制できる。
【００７０】
（３）また、本実施形態によれば、赤外分光光度計１において、移動鏡１０及び可動部５１が待機位置側に移動した際には、当接部１１４が固定部１１５の端面に当接し、移動鏡１０及び可動部５１のさらなる移動が規制される。
そのため、移動鏡１０及び可動部５１を待機位置に配置した状態を保つことができる。
【００７１】
８．変形例
以上の実施形態では、外力付与部としてのばね４０は、可動部５１に対して下方側に向かう外力が加えるとして説明した。しかし、外力付与部としてのばね４０は、可動部５１に対して、スライド方向との交差する方向に外力を加える構成であればよい。例えば、ばね４０は、可動部５１に対して上方側に向かう外力を加えてもよい。
【００７２】
また、以上の実施形態では、外力付与部としてのばね４０は、可動部５１に対して外力を加えるとして説明した。しかし、外力付与部からの外力が、保持部５２に加えられる構成であってもよい。
【００７３】
また、以上の実施形態では、ばね４０が外力付与部であるとして説明したが、第１係合部４１におもりを取り付け、このおもりを外力付与部としてもよい。
【符号の説明】
【００７４】
１      赤外分光光度計
１０    移動鏡
４０    ばね
５０    ガイド部材
５１    可動部
５２    保持部
５３    転動体
１１４  当接部
Ａ１    遊び空間    
Ａ２    隙間
【図１】
2019095349.tif 000003
【図２】
2019095349.tif 000004
【図３】
2019095349.tif 000005
【図４】
2019095349.tif 000006
【図５】
2019095349.tif 000007
【図６】
2019095349.tif 000008
【図７Ａ】
2019095349.tif 000009
【図７Ｂ】
2019095349.tif 000010
【図８Ａ】
2019095349.tif 000011
【図８Ｂ】
2019095349.tif 000012
【図９】
2019095349.tif 000013